(57)【特許請求の範囲】
【請求項１】
集積紙葉類をその表裏面側から挾持するチャック部材を有し、該チャック部材で挾持した状態の集積紙葉類に結束テープを巻き付けて結束させる紙葉類結束機において、
集積紙葉類に巻き付けられた結束テープに捺印する捺印体と、
前記チャック部材に取り付けられるとともに、前記捺印体を、前記チャック部材に挾持された集積紙葉類に結束テープを巻き付ける際に干渉しない待機位置と前記チャック部材に挾持された集積紙葉類に巻き付けられた結束テープに捺印する捺印位置との間で移動可能に保持する捺印体移動機構部と、
を有し、
前記捺印体移動機構部は、
支持軸と、
該支持軸にこれを中心に回動自在となるよう一側が支持されるとともに前記支持軸に対し反対側に前記捺印体を保持する保持部材と、
前記捺印体を前記待機位置に位置させるように前記保持部材を付勢するバネ材と、
前記捺印体を前記捺印位置に位置させるように前記保持部材を回動させる駆動機構部とを有することを特徴とする紙葉類結束機。
【請求項２】
前記駆動機構部は、ロータリソレノイドと、該ロータリソレノイドで回動させられるアームと、該アームに設けられて前記保持部材に当接するローラとを有することを特徴とする請求項１記載の紙葉類結束機。
【発明の詳細な説明】
【０００１】
【発明の属する技術分野】
本発明は、紙幣、証券等の紙葉類を集積して結束させる紙葉類結束機に関する。
【０００２】
【従来の技術】
所定枚数の紙幣、証券等の紙葉類を集積し、その周囲に結束テープを巻き付けて結束させる紙葉類結束機として、例えば、特開平１０−１１９９１３号公報に開示されたものがある。
この紙葉類結束機は、所定枚数集積された紙幣をその表裏面側から挾持するとともに上下方向に移動可能なチャック部材を有しており、このチャック部材のまわりに結束テープを巻き付けて結束する結束部の他に、結束した結束テープに金融機関の名称や結束した日付等を捺印するための捺印体と、チャック部材の移動範囲の側方に設けられて該捺印体を全体的にチャック部材の移動範囲外から、移動範囲内であってチャック部材に巻き付けられた結束テープに応じた位置までの間で移動させる捺印体移動機構部とから構成される捺印部を有している。そして、結束部による集積紙葉類の結束が終了すると、捺印体をチャック部材の移動範囲内に移動させるとともに、チャック部材を捺印体に向けて移動させて捺印させている。
また、これとは別に、移動範囲の上限位置に位置するチャック部材の結束テープに応じた位置に捺印体を配置しておき、結束終了後にチャック部材を上限位置まで移動させ捺印させることによって捺印体移動機構部を不要とした構成についても提示されている。
【０００３】
【発明が解決しようとする課題】
上述した捺印体をチャック部材の移動範囲外から移動範囲内に移動させるための捺印体移動機構部を有する構成については、チャック部材を移動させることで捺印体の移動距離を短くし、これによって捺印体移動機構部のコンパクト化をある程度可能としているものの、捺印体移動機構部がチャック部材の移動範囲の側方に設けられているため、これ以上のコンパクト化には限界がある。
また、上述した捺印体をチャック部材の上限位置に設けることによって捺印体移動機構部を不要とした構成では、捺印体移動機構部を不要としている分、さらにそのコンパクト化が可能となっている反面、捺印させるためにチャック部材を移動させる距離が長くなってしまい、これによって、一回の結束処理にかかる時間が長くなってしまうという別の問題が生じてしまうことになる。
【０００４】
したがって、本発明の目的は、結束処理にかかる時間を延滞させることなく、かつ捺印のための機構が占有するスペースを抑えることができる紙葉類結束機を提供することである。
【０００５】
【課題を解決するための手段】
上記目的を達成するため、本発明の請求項１記載の紙葉類結束機は、集積紙葉類をその表裏面側から挾持するチャック部材を有し、該チャック部材で挾持した状態の集積紙葉類に結束テープを巻き付けて結束させるものであって、集積紙葉類に巻き付けられた結束テープに捺印する捺印体と、前記チャック部材に取り付けられるとともに、前記捺印体を、前記チャック部材に挾持された集積紙葉類に結束テープを巻き付ける際に干渉しない待機位置と前記チャック部材に挾持された集積紙葉類に巻き付けられた結束テープに捺印する捺印位置との間で移動可能に保持する捺印体移動機構部と、を有し、前記捺印体移動機構部は、支持軸と、該支持軸にこれを中心に回動自在となるよう一側が支持されるとともに前記支持軸に対し反対側に前記捺印体を保持する保持部材と、前記捺印体を前記待機位置に位置させるように前記保持部材を付勢するバネ材と、前記捺印体を前記捺印位置に位置させるように前記保持部材を回動させる駆動機構部とを有することを特徴としている。
これにより、チャック部材に取り付けられた捺印体移動機構部が、捺印体を、チャック部材に挾持された集積紙葉類に結束テープを巻き付ける際に干渉しない待機位置に位置させた状態で、結束テープの巻き付けを行わせ、結束テープの巻き付け後、チャック部材に挾持された集積紙葉類に巻き付けられた結束テープに捺印する捺印位置に捺印体を旋回させて捺印する。
【０００６】
また、本発明の請求項２記載の紙葉類結束機は、請求項１記載のものに関して、前記駆動機構部は、ロータリソレノイドと、該ロータリソレノイドで回動させられるアームと、該アームに設けられて前記保持部材に当接するローラとを有することを特徴としている。
【０００７】
【発明の実施の形態】
本発明の紙葉類結束機の一の実施の形態を図面を参照して以下に説明する。
この実施の形態の紙葉類結束機は、紙葉類として紙幣を結束させるものであり、特開平１０−１１９９１３号公報に記載された紙葉類結束機とほぼ同様で、捺印部１４８の構成のみが相違している（以下、特開平１０−１１９９１３号公報と同一部分には同一の符号を付す）。
【０００８】
すなわち、この実施の形態においては、紙幣をその表裏方向を上下方向としかつ上下方向に集積させてなる集積紙幣Ｓ１を受け取って、その表裏両側から挾持する非回転のチャック部材５１に、捺印部１４８が取り付けられている。
【０００９】
ここで、チャック部材５１は、集積紙幣Ｓ１の上側に配置される上部チャック６５と下側に配置される下部チャック６６とを有しており、上部チャック６５は、水平をなす板状の支持部材７１と、該支持部材７１の下面に該支持部材７１から一側に突出するように固定された上部挾持部材７２とを有している。
上部挾持部材７２は、上記のように支持部材７１より突出されており、下部チャック６６もこの上部挾持部材７２の先端位置まで延出されていて、チャック部材５１は、集積紙幣Ｓ１の長手方向における一端側をこれら上部挾持部材７２および下部チャック６６の先端よりもさらに若干突出させた状態で、該集積紙幣Ｓ１を挾持する。
【００１０】
そして、図示せぬテープ供給機構およびテープ巻付機構による集積紙幣Ｓ１への結束テープＴの巻付位置は、支持部材７１にかからない上部挾持部材７２および下部チャック６６の先端部側の部分とされている。
【００１１】
支持部材７１の下部チャック６６に対し反対側に、捺印部１４８が設けられている。
この捺印部１４８は、図示せぬテープ巻付機構でチャック部材５１とともに集積紙幣Ｓ１に巻き付けられ図示せぬテープ接着機構で後端部が接着させられた後の結束テープＴのすべてに金融機関名および日付等を捺印するための捺印体２０１と、支持部材７１に取り付けられるとともに、捺印体２０１を移動可能に保持する捺印体移動機構部３００とを有している。
【００１２】
捺印体移動機構部３００は、支持部材７１の下部チャック６６に対し反対側に突出するよう該支持部材７１に固定された支持体３０１と、該支持体３０１に集積紙幣Ｓ１の短手方向に沿うよう支持された支持軸３０２と、該支持軸３０２にこれを中心に回動自在となるよう一側が支持された保持部材３０３とを有している。保持部材３０３は、支持軸３０２に対し反対側に捺印体２０１を保持するようになっており、これにより、捺印体２０１は支持軸３０２を中心に旋回移動する。なお、捺印体２０１は、その捺印面２０１ａを結束テープ巻付位置に対し近接側に配置した状態で保持部材３０３に保持される。
【００１３】
捺印体移動機構部３００は、保持部材３０３の結束テープ巻付位置に対し近接側に当接しこれを支持軸３０２を中心に結束テープ巻付位置に対し離間方向（図２における時計回り方向）に回動するよう付勢するバネ材３０５と、保持部材３０３の結束テープ巻付位置に対し反対側に形成された切欠部３０６の結束テープ巻付位置に対し反対側の押圧面３０６ａに当接してこれをバネ材３０５の付勢力に抗して結束テープ巻付位置方向に回動させる駆動機構部３０７とを有している。
【００１４】
駆動機構部３０７は、支持部材７１に固定された固定部材３０８と、集積紙幣Ｓ１の短手方向に駆動軸３０９を配置させた状態で固定部材３０８により支持部材７１に固定されるとともに駆動軸３０９を所定の範囲内で回動させるロータリソレノイド３１０と、該ロータリソレノイド３１０の駆動軸３０９に固定された円盤３１１と、該円盤３１１に該円盤３１１にその一端側が固定されたアーム３１２と、該アーム３１２の円盤３１１から突出する他端部に回転自在に支持され押圧面３０６ａに当接するローラ３１３とを有している。
【００１５】
そして、ロータリソレノイド３１０がＯＦＦ状態にあるときは、アーム３１２は駆動軸３０９の支持部材７１に対し反対側にローラ３１３を配置させており、バネ材３０５の付勢力でこのローラ３１３に当接する保持部材３０３は、結束テープ巻付位置に対し離間した状態となっている。この状態で、保持部材３０３は上部チャック６５に対し垂直に立設されており、該保持部材３０３に保持された捺印体２０１は、上部チャック６５と平行をなしている。また、この状態で、保持部材３０３に保持された捺印体２０１は、捺印体移動機構部３００とともに、チャック部材５１に挾持された集積紙幣Ｓ１にテープ供給機構およびテープ巻付機構で結束テープＴを巻き付けさらにはテープ接着機構で接着を行う際に、結束テープＴおよびすべての機構に干渉しない状態となる（このときの位置を待機位置とする）。
【００１６】
他方、この状態からロータリソレノイド３１０がＯＮ状態となると、駆動軸３０９が駆動され円盤３１１が回転して図３に示すように、アーム３１２がローラ３１３を結束テープ巻付位置に近接させる方向（図２，図３における反時計回り方向）に略９０゜回動し、該ローラ３１３に当接する保持部材３０３を支持軸３０２を中心に回動させて、該保持部材３０３に保持された捺印体２０１を、結束テープ巻付位置に近接させるよう旋回させる。この状態で、捺印体２０１は、チャック部材５１に挾持された集積紙幣Ｓ１にチャック部材５１とともに巻き付けられた結束テープＴに対し捺印する状態となる（このときの位置を捺印位置とする）。
さらに、この状態からロータリソレノイド３１０がＯＦＦ状態となると、バネ材３０５の付勢力で保持部材３０３が回動し捺印体２０１を待機位置に戻して停止する。
【００１７】
なお、上部チャック６５は、上下方向に移動自在とされているため、ロータリソレノイド３１０を駆動するためのケーブルは、チャック部材５１の移動の障害とならないようにその両端がチャック部材５１と機体側とに連結される図示せぬケーブルガイドによりガイドされている。
【００１８】
以上の構成の紙葉類結束機によれば、特開平１０−１１９９１３号公報に記載された紙葉類結束機と同様にして、紙幣の集積、集積紙幣Ｓ１への結束テープＴの巻き付け、結束テープＴの切断および結束テープＴの切断後端部の接着までを行う。ここで、この間、捺印体移動機構部３００のロータリソレノイド３１０はＯＦＦ状態とされており、待機位置に位置する捺印体２０１および捺印体移動機構部３００は、結束テープＴおよび他のすべての機構との干渉が生じない位置にある。
【００１９】
そして、上記した結束テープＴの切断後端部の接着が終了すると、チャック部材５１の捺印のための移動を伴わずに、適宜のタイミングで、捺印体移動機構部３００のロータリソレノイド３１０をＯＮする。すると、捺印体２０１が結束テープ巻付位置に近接するよう旋回させられて、チャック部材５１に挾持された集積紙幣Ｓ１にチャック部材５１とともに巻き付けられた結束テープＴに捺印面２０１ａを当接させて捺印を行う。
【００２０】
具体的には、特開平１０−１１９９１３号公報に記載された紙葉類結束機と同様にして、紙幣の集積、集積紙幣Ｓ１への結束テープＴの巻き付け、結束テープＴの切断および結束テープＴの切断後端部の接着を行い、さらに図示せぬ下部チャック降下規制部材を回転させるためその規制を解除するよう所定量チャック部材５１を上昇させ、その後、チャック部材５１を下限位置となる受け渡し位置まで降下させることになるが、例えばこの降下中に捺印体移動機構部３００のロータリソレノイド３１０をＯＮして結束テープＴへの捺印を行うのである。
【００２１】
以上に述べた実施の形態によれば、チャック部材５１に取り付けられた捺印体移動機構部３００が、捺印体２０１を、チャック部材５１に挾持された集積紙幣Ｓ１に結束テープＴを巻き付ける際に干渉しない待機位置に位置させた状態で、結束テープＴの巻き付けを行わせ、結束テープＴの巻き付け後、チャック部材５１に挾持された集積紙幣Ｓ１に巻き付けられた結束テープＴに捺印する捺印位置に捺印体２０１を移動させて捺印する。
したがって、捺印のためにチャック部材５１を移動させる必要がなくなるため、結束処理にかかる時間を延滞させることがなくなる。また、捺印体移動機構部３００がチャック部材５１に取り付けられていることから、捺印体移動機構部３００をチャック部材５１に対し側方に設ける場合等に比して、捺印体２０１の移動距離を抑えることができ、捺印体移動機構部３００が占有するスペースを抑えることができる。
【００２２】
しかも、捺印体移動機構部３００が捺印体２０１を旋回させるため、捺印体２０１と捺印体移動機構部３００とからなる捺印部１４８の全体の高さを抑えることができて、捺印部１４８が占有するスペースを最小限に抑えることができる。
【００２３】
なお、以上においては、チャック部材５１が集積紙幣Ｓ１の挾持作動以外でも上下方向に移動する場合を例にとり説明したが、チャック部材に捺印部を取り付け可能なスペースがあれば、チャック部材が集積紙幣の挾持作動以外では移動しない場合等、種々のチャック部材に適用可能である。
【００２４】
【発明の効果】
本発明の請求項１記載の紙葉類結束機によれば、チャック部材に取り付けられた捺印体移動機構部が、捺印体を、チャック部材に挾持された集積紙葉類に結束テープを巻き付ける際に干渉しない待機位置に位置させた状態で、結束テープの巻き付けを行わせ、結束テープの巻き付け後、チャック部材に挾持された集積紙葉類に巻き付けられた結束テープに捺印する捺印位置に捺印体を旋回させて捺印する。
したがって、捺印のためにチャック部材を移動させる必要がなくなるため、結束処理にかかる時間を延滞させることがなくなる。また、捺印体移動機構部がチャック部材に取り付けられていることから、捺印体移動機構部をチャック部材に対し側方に設ける場合等に比して、捺印体の移動距離を抑えることができ、捺印体移動機構部が占有するスペースを抑えることができる。
また、捺印体移動機構部が捺印体を旋回させるため、捺印体移動機構部および捺印体が占有するスペースを最小限に抑えることができる。
【図面の簡単な説明】
【図１】  本発明の紙葉類結束機の一の実施の形態の要部を示す平面図である。
【図２】  本発明の紙葉類結束機の一の実施の形態の要部を示す側面図であって、捺印体が待機位置にある状態を示すもの。
【図３】  本発明の紙葉類結束機の一の実施の形態の要部を示す側面図であって、捺印体が捺印位置にある状態を示すもの。
【符号の説明】
５１  チャック部材
２０１  捺印体
３００  捺印体移動機構部
Ｓ１  集積紙幣
Ｔ  結束テープ
【図１】
0003710628.tif 000002
【図２】
0003710628.tif 000003
【図３】
0003710628.tif 000004